(57)【要約】      （修正有）【課題】インダクタンス（Ｌ値）の増大と小型化を両立可能なパルストランスを提供する。【解決手段】巻芯部２２と、巻芯部２２の外周に形成してある一次コイル４０ａ及び二次コイル４０ｂから成るコイル部４０とを有するパルストランスである。一次コイル４０ａは、第１ワイヤ４１と第２ワイヤ４２とを有する。二次コイル４０ｂは、第３ワイヤ４３と第４ワイヤ４４とを有する。コイル部４０は、第１ワイヤ４１で形成される第１層４０１と、第１層４０１の外周に配置され第３ワイヤ４３で形成される第２層４０２と、第２層４０２の外周に配置され第２ワイヤ４２で形成される第３層４０３と、第３層４０３の外周に配置され第４ワイヤ４４で形成される第４層４０４と、を有する。【選択図】図２
2017017062.tif 000002
【特許請求の範囲】
【請求項１】
巻芯部と、
前記巻芯部の外周に形成してある一次コイルおよび二次コイルから成るコイル部とを有するパルストランスであって、
前記一次コイルは、第１ワイヤと第２ワイヤとを有し、
前記二次コイルは、第３ワイヤと第４ワイヤとを有し、
前記コイル部は、
前記第１ワイヤで形成される第１層と、
前記第１層の外周に配置され前記第３ワイヤで形成される第２層と、
前記第２層の外周に配置され前記第２ワイヤで形成される第３層と、
前記第３層の外周に配置され前記第４ワイヤで形成される第４層と、を有することを特徴とするパルストランス。
【請求項２】
巻芯部と、
前記巻芯部の外周に形成してある一次コイルおよび二次コイルから成るコイル部とを有するパルストランスであって、
前記一次コイルは、第１ワイヤと第２ワイヤとを有し、
前記二次コイルは、第３ワイヤと第４ワイヤとを有し、
前記コイル部は、
前記第３ワイヤで形成される第１層と、
前記第１層の外周に配置され前記第１ワイヤで形成される第２層と、
前記第２層の外周に配置され前記第４ワイヤで形成される第３層と、
前記第３層の外周に配置され前記第２ワイヤで形成される第４層と、を有することを特徴とするパルストランス。
【発明の詳細な説明】
【技術分野】
【０００１】
本発明は、たとえばＬＡＮケーブルなどを通じてパルス信号を伝送するための用途などに用いられるパルストランスに関する。
【背景技術】
【０００２】
パソコンなどの機器をＬＡＮや電話網などのネットワークに接続する場合、ケーブルを通して侵入するＥＳＤ(ElectroStatic Discharge，静電放電)や高電圧から機器を守る必要がある。そこで、ケーブルと機器の接続点を構成するコネクタにはパルストランスが用いられる。
【０００３】
従来用いられているパルストランスはドーナツ型の磁心（トロイダルコア）に一次コイルと二次コイルを巻回して作られており、一次コイルに印加される電圧のうち交流成分（パルス）のみを二次コイルに伝えるという性質を有する。直流成分は二次コイルに伝わらないため、パルストランスはＥＳＤや高電圧を遮断することができる。
【０００４】
近年ではパルストランスにも小型化・表面実装化が求められており、そのために上記トロイダルコアに代えてドラム型コアを用いる例が登場している。そのようなパルストランスを表面実装型パルストランスといい、特許文献１にその例が開示されている。
【０００５】
ところで、ＬＡＮ等に用いるパルストランスが信号発生Ｉｃと合わせて使用されるケースでは、そのようなパルストランスには、信号発生Ｉｃとのマッチングのために、インダクタンス（Ｌ値）の大きさが求められる場合がある。
【先行技術文献】
【特許文献】
【０００６】
【特許文献１】特開２００９−２１５５８号公報
【発明の概要】
【発明が解決しようとする課題】
【０００７】
しかしながら、引用文献１に示すようなバイファイラ巻タイプのパルストランスでは、２層を超える多層の巻線をドラムコアの外周に形成すると性能の悪化が大きくなる傾向にあり、インダクタンスの増大と小型化を両立することが困難であるという問題がある。
【０００８】
本発明は、このような実状に鑑みてなされ、その目的は、インダクタンスの増大と小型化を両立可能なパルストランスを提供することである。
【課題を解決するための手段】
【０００９】
すなわち、本発明の第１の観点に係るパルストランスは、
巻芯部と、
前記巻芯部の外周に形成してある一次コイルおよび二次コイルから成るコイル部とを有するパルストランスであって、
前記一次コイルは、第１ワイヤと第２ワイヤとを有し、
前記二次コイルは、第３ワイヤと第４ワイヤとを有し、
前記コイル部は、
前記第１ワイヤで形成される第１層と、
前記第１層の外周に配置され前記第３ワイヤで形成される第２層と、
前記第２層の外周に配置され前記第２ワイヤで形成される第３層と、
前記第３層の外周に配置され前記第４ワイヤで形成される第４層と、を有することを特徴とする。
【００１０】
また、本発明の第２の観点に係るパルストランスは、
巻芯部と、
前記巻芯部の外周に形成してある一次コイルおよび二次コイルから成るコイル部とを有するパルストランスであって、
前記一次コイルは、第１ワイヤと第２ワイヤとを有し、
前記二次コイルは、第３ワイヤと第４ワイヤとを有し、
前記コイル部は、
前記第３ワイヤで形成される第１層と、
前記第１層の外周に配置され前記第１ワイヤで形成される第２層と、
前記第２層の外周に配置され前記第４ワイヤで形成される第３層と、
前記第３層の外周に配置され前記第２ワイヤで形成される第４層と、を有することを特徴とする。
【００１１】
本発明に係るパルストランスは、各層ごとに異なるワイヤで形成されており、一次コイル４０ａを構成する第１ワイヤ４１および第２ワイヤ４２と、二次コイル４０ｂを構成する第３ワイヤ４３および第４ワイヤ４４とが、径方向に交互に配置される構造であることにより、バイファイラ巻で問題となる多層化時の線間容量の増大を防止することができる。これにより、本発明に係るパルストランスは、ＩＬ（挿入損失）等の特性を維持しつつ、インダクタンスの増大と小型化を両立させることができる。
【００１２】
なお、第１層、第２層、第３層及び第４層のそれぞれの巻始めと巻き終わり部には、巻乱れがあっても良い。
【図面の簡単な説明】
【００１３】
【図１】図１は本発明の第１実施形態に係るパルストランスの斜視図である。
【図２】図２は図１に示すパルストランスの巻芯部に巻回してあるコイル部の概略半断面図である。
【図３】図３は図１に示すパルストランスの等価回路図である。
【図４】図４は本発明の第２実施形態に係るパルストランスの巻芯部に巻回してあるコイル部の概略半断面図である。
【図５】図５は本発明の第３実施形態に係るパルストランスの斜視図である。
【発明を実施するための形態】
【００１４】
以下、本発明を、図面に示す実施形態に基づき説明する。
【００１５】
第１実施形態
図１に示すように、本発明の一実施形態に係るパルストランスは、表面実装型のコイル部品１０で構成してある。このコイル部品１０は、ドラム型コアである第１コア２０と、板状の第２コア３０と、第１コア２０の巻芯部２２に巻回されたコイル部４０とを有する。
【００１６】
なお、コイル部品１０の説明では、コイル部品１０を実装する実装面と平行な面内にあり第１コア２０の巻芯部２２の巻軸と平行な方向をＸ軸方向、Ｘ軸方向と同じく実装面と平行な面内にありＸ軸方向と垂直な方向をＹ軸方向、実装面の法線方向をＺ軸方向とする。
【００１７】
コイル部品１０は、その外形寸法が、たとえば幅３．２ｍｍ×高さ２．８ｍｍ×奥行き３．２ｍｍであるが、コイル部品１０のサイズはこれに限定されない。
【００１８】
コイル部品１０のコアは、第１コア２０と第２コア３０とを組み合わせて構成される。第１コア２０は、棒状の巻芯部２２（図２参照）と、巻芯部２２の両端に備えられる一対のコア端部としての一対の鍔部２４，２４と、を有する。
【００１９】
鍔部２４の外形状は、略直方体であり、一対の鍔部２４は、Ｘ軸方向に関して所定の間隔を空けて、互いに略平行になるように配置されている。巻芯部２２は、一対の鍔部２４において互いに向かい合うそれぞれの面の中央部に接続している。そして、巻き芯部２２が、巻芯部２２を挟んで両側にある一対の鍔部２４を接続している。巻芯部２２の横断面形状は、本実施形態では矩形であるが、円形でも良く、その断面形状は特に限定されない。
【００２０】
第２コア３０は、板状のコアであり、第２コア３０の外形状は、Ｚ軸方向の辺が最も短い辺となる略直方体である。第２コア３０は、下面の法線方向（Ｚ軸方向）から見てＸ軸方向に長い略長方形であるが、正方形その他の形状であってもよい。第２コア３０の上面３２は、Ｘ軸方向の両端に位置する鍔部２４の底面２４ａと向かい合っており、底面２４ａに対して、たとえば熱硬化性樹脂などの接着剤などにより固定される。これにより、第２コア３０は、第１コア２０と連続する磁路を形成する。
【００２１】
第１コア２０の各鍔部２４には、端子部５１〜５６が設けられている。端子部５１〜５６は、略Ｌ字の外形状を有する金具で構成されており、少なくとも一部が鍔部２４の設置面２４ｂに設けられている。なお、鍔部２４の設置面２４ｂは、第２コア３０の上面３２に向かい合う底面２４ａとは、反対側のＺ軸方向の上面である。
【００２２】
３つの端子部５１〜５３は、一方の鍔部２４に設けられており、他の３つの端子部５４〜５６は、他方の鍔部２４に設けられている。隣接する端子部の間隔は等間隔ではなく、端子部５２と端子部５３の間隔は、端子部５１と端子部５２の間隔より広くなるよう設計されており、端子部５４と端子部５５の間隔は、端子部５５と端子部５６の間隔より広くなるよう設計されている。
【００２３】
第１コア２０の巻芯部２２には、コイル部４０が形成されている。コイル部４０は、４本のワイヤ４１〜４４により構成される。すなわち、図２に示すように、コイル部４０は、一次コイル４０ａと二次コイル４０ｂとからなり、一次コイル４０ａは、第１ワイヤ４１と第２ワイヤ４２とを有し、二次コイル４０ｂは、第３ワイヤ４３と第４ワイヤ４４とを有する。第１〜第４ワイヤ４１〜４４は、たとえば被覆導線で構成してあり、良導体からなる芯材を絶縁性の被覆膜で覆った構成を有しており、巻芯部２２に、後述する４層構造で巻回されている。
【００２４】
図２に示すように、４層構造であるコイル部４０は、第１層４０１、第２層４０２、第３層４０３及び第４層４０４を有しており、第１〜第４層４０１〜４０４は、巻芯部２２の外側から外径方向に向かって配列されている。巻芯部２２の外周に配置される第１層４０１は、第１ワイヤ４１で形成されている。ただし、第１層４０１における巻きはじめおよび巻き終わりの両端部（Ｘ軸方向の両端部）では、巻乱れ等の影響により、第３ワイヤ４３等の他のワイヤ４２〜４４の一部が、第１層４０１に配置されていてもよい。
【００２５】
第１層４０１の外周に配置される第２層４０２は、第３ワイヤ４３で形成されている。さらに第２層４０２の外周に配置される第３層４０３は、第２ワイヤ４２で形成されている。ただし、第２層４０２および第３層４０３における巻きはじめおよび巻き終わりの両端部（Ｘ軸方向の両端部）では、巻乱れ等の影響により、その層４０２、４０３を形成するワイヤ４３、４２以外の他のワイヤ４１〜４４の一部が、第２層４０２または第３層４０３に配置されていてもよい。また、第３層４０３の外周に配置される第４層４０４は、第４ワイヤ４４で形成されている。
【００２６】
これにより、コイル部４０では、最も内側の第１層４０１を構成する第１コイルと、内側から３番目の第３層４０３を構成する第２ワイヤ４２が一次コイル４０ａを構成しており、内側から２番目であって、第１層４０１と第３層４０３に挟まれる第２層４０２を構成する第３ワイヤ４３と最も外側の第４ワイヤ４４とが、二次コイル４０ｂを構成する。このように、コイル部４０では、一次コイル４０ａを構成する第１ワイヤ４１および第２ワイヤ４２と、二次コイル４０ｂを構成する第３ワイヤ４３および第４ワイヤ４４とが、径方向に交互に配置される構造となっている。
【００２７】
第１層４０１を形成する第１ワイヤ４１の各ターンは、第１層４０１の形成方向であるＸ軸方向に関して１ターン前及び１ターン後の第１ワイヤ４１と密着している。また、第１層４０１を形成する第１ワイヤ４１は、内周側で巻芯部２２に密着し、外周側で第２層４０２を形成する第３ワイヤ４３に密着している。同様に、第２層４０２を形成する第３ワイヤ４３の各ターンは、第２層４０２の形成方向であるＸ軸方向に関して１ターン前及び１ターン後の第３ワイヤ４３と密着している。また、第２層４０２を形成する第３ワイヤ４３は、内周側で第１層４０１を形成する第１ワイヤ４１に密着し、外周側で第３層４０３を形成する第２ワイヤ４２に密着している。
【００２８】
第３層４０３を形成する第２ワイヤ４２の各ターンは、第３層４０３の形成方向であるＸ軸方向に関して１ターン前及び１ターン後の第２ワイヤ４２と密着している。また、第３層４０３を形成する第２ワイヤ４２は、内周側で第２層４０２を形成する第３ワイヤ４３に密着し、外周側で第４層４０４を形成する第４ワイヤ４４に密着している。同様に、第４層４０４を形成する第４ワイヤ４４の各ターンは、第４層４０４の形成方向であるＸ軸方向に関して１ターン前及び１ターン後の第４ワイヤ４４と密着している。また、第４層４０４を形成する第４ワイヤ４４は、内周側で第３層４０３を形成する第２ワイヤ４２に密着している。
【００２９】
図１および図３に示すように、第１ワイヤ４１のワイヤ端４１ａ，４１ｂは、それぞれ端子部５４，５２に接続され、第２ワイヤ４２のワイヤ端４２ａ，４２ｂは、それぞれ端子部５１，５４に接続され、第３ワイヤ４３のワイヤ端４３ａ，４３ｂは、それぞれ端子部５５，５３に接続される。第４ワイヤ４４のワイヤ端４４ａ，４４ｂは、それぞれ端子部５３，５６に接続される。
【００３０】
図３に示すように、端子部５１，５２は、それぞれ平衡入力のプラス側端子ＩＮ＋とマイナス側端子ＩＮ−として用いられる。また、端子部５５，５６は、それぞれ平衡出力のプラス側端子ＯＵＴ＋とマイナス側端子ＯＵＴ−として用いられる。端子部５３，５４は、それぞれ入力側および出力側の中間タップＣＴとして用いられる。第１および第２ワイヤ４１，４２はパルストランスの一次巻線（一次コイル４０ａ）を構成し、第３および第４ワイヤ４３，４４はパルストランスの二次巻線（二次コイル４０ｂ）を構成する。
【００３１】
なお、第１〜第４ワイヤ４１〜４４の線径は特に限定されないが、好ましくは０．０２〜０．１ｍｍである。
【００３２】
コイル部品１０の製造では、まず、端子部５１〜５６を設置したドラム型の第１コア２０と第１〜第４ワイヤ４１〜４４を準備する。第１コア２０は、たとえば、比較的透磁率の高い磁性材料、たとえばＮｉ−Ｚｎ系フェライトや、Ｍｎ−Ｚｎ系フェライト、あるいは金属磁性体などで構成してある磁性粉体を、成型および焼結することにより作製される。金属の端子部５１〜５６は、接着等により第１コア２０の鍔部２４に固定される。なお、端子部５１〜５６は、第１コア２０に印刷・メッキ等により導体膜を形成し、その導体膜を焼き付けることにより、鍔部２４に設けられてもよい。
【００３３】
第１〜第４ワイヤ４１〜４４としては、たとえば、銅（Ｃｕ）などの良導体からなる芯材を、イミド変成ポリウレタンなどからなる絶縁材で覆い、さらに最表面をポリエステルなどの薄い樹脂膜で覆ったものを用いることができる。準備された端子部５１〜５６を設置した第１コア２０および第１〜第４ワイヤ４１〜４４は、巻線機にセットされ、第１〜第４ワイヤ４１〜４４が、所定の順序で第１コア２０の巻芯部２２に巻回される。
【００３４】
本実施形態では、まず、図２に示す第１ワイヤ４１を巻芯部２２の外周に巻回して第１層４０１を形成したのち、第３ワイヤ４３を第１層４０１の外周に巻回して第２層４０２を形成する。さらに、第２ワイヤ４２を第２層４０２の外周に巻回して第３層４０３を形成し、最後に第４ワイヤ４４を第３層４０３の外周に巻回して第４層４０４を形成する。第１から第４層４０１〜４０４を形成したのち、第１〜第４ワイヤ４１〜４４の端部は、端子部５１〜５６にはんだ付け等により固定される。
【００３５】
次に、板状の第２コア３０を準備し、コイル部４０が巻かれた第１コア２０に接合する。第２コア３０は、第１コア２０と同様に、Ｎｉ−Ｚｎ系フェライトや、Ｍｎ−Ｚｎ系フェライト、あるいは金属磁性体などで構成してある磁性材料の焼結体または成形体で構成される。
【００３６】
本実施形態に係るパルストランスとしてのコイル部品１０では、巻芯部２２に形成されたコイル部４０が、各層の外周側に重ねて巻かれることにより形成された第１層４０１から第４層４０４を有しており、４層以上の多層構造であるため、小型でありながらインダクタンスの高いパルストランスを実現できる。さらに、各層を別々のコイルで形成したうえで、一次コイル４０ａを構成する第１ワイヤ４１および第２ワイヤ４２と、二次コイル４０ｂを構成する第３ワイヤ４３および第４ワイヤ４４が、径方向に交互に配置される構造となっている。これにより、コイル部品１０は、バイファイラ巻で見られるような多層化に伴う線間容量の増大を抑制し、挿入損失に関する特性が良好であって、小型化と高インダクタンスを両立可能なパルストランスを実現できる。
【００３７】
本実施形態のコイル部品１０では、線間容量の増大を抑制することにより、特に高周波領域での挿入損失の低減を図れることから、高周波における信号減衰量が少なくなり、高速なデータ信号を遠（長）距離に正確に送ることができる。
【００３８】
また、コイル部品１０は、一次コイル４０ａを構成する第１、第２ワイヤ４１、４２と、二次コイル４０ｂを構成する第３、第４ワイヤ４３、４４とが、径方向に交互に配置される構造であることにより、一次コイル４０ａと二次コイル４０ｂとで巻線の線長のばらつき及びインダクタンスのばらつきを抑制し、バイファイラ巻と遜色ない優れたバランス特性を奏し、ノイズ除去特性にも優れている。
【００３９】
第２実施形態
図４に示す第２実施形態のパルストランスとしてコイル部品１０ｂは、図２に示すコイル部品１０に対して、コイル部１４０における一次コイル１４０ａと二次コイル１４０ｂの配置が逆であるが、その他の構成はコイル部品１０と同様である。すなわち、コイル部１４０は、一次コイル１４０ａと二次コイル１４０ｂとからなり、一次コイル１４０ａは、第１ワイヤ１４１と第２ワイヤ１４２とを有し、二次コイル１４０ｂは、第３ワイヤ１４３と第４ワイヤ１４４とを有する。
【００４０】
図４に示すように、４層構造であるコイル部１４０は、第１層４１１、第２層４１２、第３層４１３及び第４層４１４を有しており、第１〜第４層４１１〜４１４は、巻芯部２２の外側から外径方向に向かって配列されている。巻芯部２２の外周に配置される第１層４１１は、第３ワイヤ１４３で形成されており、第１層４１１の外周に配置される第２層４１２は、第１ワイヤ１４１で形成されており、第２層４１２の外周に配置される第３層４１３は、第４ワイヤ１４４で形成されており、第３層４１３の外周に配置される第４層４１４は、第２ワイヤ１４２で形成されている。
【００４１】
これにより、コイル部１４０では、最も内側の第１層４１１を構成する第３ワイヤ１４３と、内側から３番目の第３層を構成する第４ワイヤ１４４とが二次コイル１４０ｂを構成しており、内側から２番目であって、第１層４１１と第３層４１３に挟まれる第２層４１２を構成する第１ワイヤ１４１と最も外側の第２ワイヤ１４２とが、一次コイル１４０ａを構成する。このように、二次コイル１４０ｂを構成する第３ワイヤ１４３および第４ワイヤ１４４と、一次コイル１４０ａを構成する第１ワイヤ１４１および第２ワイヤ１４２とが、径方向に交互に配置される構造であるコイル部品１０ｂも、第１実施形態に係るコイル部品１０と同様の効果を奏する。
【００４２】
第３実施形態
図５に示す第３実施形態のパルストランスとしてのコイル部品１０ａでは、両端の鍔部２４に各４つずつ、合計８つの端子部が設けられている点で相違するが、その他の構成は第１実施形態のコイル部品１０と同様である。コイル部品１０ａの端子部５３ａ，５３ｂは、第１実施形態のコイル部品１０の端子部５３に対応しており、コイル部品１０ａの端子部５４ａ，５４ｂは、コイル部品１０の端子部５４に対応している。
【００４３】
コイル部品１０ａでは、ワイヤ端４３ｂとワイヤ端４４ａとの電気的な接続、およびワイヤ端４１ａとワイヤ端４２ｂとの電気的な接続は、コイル部品１０ａを実装する配線基板上の配線パターンを介して行われる。本実施形態に係るコイル部品１０ａのその他の構成および作用効果は、第１実施形態の場合と同様であり、詳細な説明は省略する。
【００４４】
なお、本発明は、上述した実施形態に限定されるものではなく、本発明の範囲内で種々に改変することができる。
【００４５】
たとえば、第１コア２０の形状については、実施形態に示すドラム型に限定されず、Ｕ字型など、巻芯部の両端に一対のコア端部を備える任意の形状とすることができる。また、第１コア２０の２つの鍔部２４は、同じ形状であっても、異なる形状であってもよい。
【００４６】
また、上述した実施形態では、コイル部４０の一次コイル４０ａを、２本のワイヤ４１，４２で構成し、二次コイル４０ｂを、２本のワイヤ４３，４４で構成してあるが、第１ワイヤ４１と第２ワイヤ４２とは、端子部５４にて連続する１本のワイヤで構成しても良い。また、第３ワイヤ４３と第４ワイヤ４４とは、端子部５３にて連続する１本のワイヤで構成しても良い。
【００４７】
さらにまた、上述した実施形態では、端子部５３および５４を用いているが、用途によっては、端子部５３および５４を省略しても良い。すなわち、図３に示すように、それぞれ入力側および出力側の中間タップＣＴとして用いられる端子部５３および５４を削除して、パルストランスを構成しても良い。その場合には、２本のワイヤのみを用いてパルストランスを構成することになる。
【００４８】
さらに、本実施形態では、巻芯部２２に対するワイヤの巻回方法を工夫することにより、巻回時に用いるワイヤの本数を減らしてもよい。たとえば１本のワイヤを用いて、巻芯部２２のコイル部４０に含まれる複数の層（例えば第１〜第４層４０１〜４０４の全て）を形成したのち、コイル部４０の一次コイル４０ａと二次コイル４０ｂとの境界を切断して、一次コイル４０ａと二次コイル４０ｂとに分離しても良い。
【００４９】
さらにまた、上述した実施形態では、図３の回路図を含む各図において、一次コイル４０ａを構成する第１ワイヤ４１と第２ワイヤ４２の配置位置は、逆でも良い。また、二次コイル４０ｂを構成する第３ワイヤ４３と第４ワイヤ４４の配置位置も、逆であっても良い。すなわち、第１ワイヤおよび第２ワイヤとは、一次コイルにおける位置関係を示すものではなく、一次コイルを構成する任意の二つのコイルをそれぞれ構成するワイヤを意味する。また、同様に、第３ワイヤおよび第４ワイヤとは、二次コイルにおける位置関係を示すものではなく、二次コイルを構成する任意の二つのコイルをそれぞれ構成するワイヤを意味する。このため、図３に示す回路において、符号４４に示す位置に第３ワイヤ４３を配置し、符号４３に示す位置に第４ワイヤ４４を配置することも可能である。
【００５０】
また、上述の実施形態では、図２に示すように、第１〜第４ワイヤ４１〜４４について、前後の各ターンのワイヤ同士が接触するように、Ｘ方向に密に巻かれているが、第１〜第４ワイヤ４１〜４４の配置としてはこれに限定されない。例えば、巻芯部２２の外周には、第１〜第４ワイヤ４１〜４４が密に巻かれている領域と、第１〜第４ワイヤ４１〜４４が疎に巻かれている領域とが、Ｘ方向に沿って形成されていてもよく、さらに、第１〜第４ワイヤ４１〜４４が巻かれていない領域がＸ方向の一部に形成されていても良い。
【００５１】
また、コイル部品１０は、第１〜第４層４０１〜４０４の４層構造であったが、コイル部品１０は４層構造に限定されず、第１〜第４層４０１〜４０４の他に、他のワイヤで構成される他の層を有していてもよく、５層以上の巻線構造であってもよい。追加される他の層は、第１層４０１の内周側に配置されてもよく、第４層４０４の外周側に配置されてもよく、第１層４０１と第４層４０４の間に配置されてもよい。また、追加される他の層のワイヤは、１次コイル４０ａまたは２次コイル４０ａとして機能するものであってもよく、補助巻線等として機能するものであってもよい。
【符号の説明】
【００５２】
１０、１０ａ、１０ｂ…  コイル部品
２０…  第１コア
２２…  巻芯部
２４…  鍔部（コア端部）
３０…  第２コア
４０…  コイル部
４０ａ、１４０ａ…  一次コイル
４０ｂ、１４０ｂ…  二次コイル
４１…  第１ワイヤ
４２…  第２ワイヤ
４３…  第３ワイヤ
４４…  第４ワイヤ
４０１、４１１…  第１層
４０２、４１２…  第２層
４０３、４１３…  第３層
４０４、４１４…  第４層
【図１】
2017017062.tif 000003
【図２】
2017017062.tif 000004
【図３】
2017017062.tif 000005
【図４】
2017017062.tif 000006
【図５】
2017017062.tif 000007